(57)【要約】【課題】流路部材を取付対象へ取り付ける際に、流路部材と取付対象との間に介在された状態にあっても、位置調整が容易な流路用環状体を提供する。【解決手段】パッキン３は、水栓継手１を設置するための座金４を壁２へ取り付ける際に用いられる。パッキン３は、中央部に水栓継手１の通過を許容する貫通孔３ｅを有し、当該貫通孔３ｅの周囲に座部３ｄを有し、当該座部３ｄが座金４と壁２との間に介在される。座部３ｄの外周部には、当該座部３ｄから除去可能に除去予定部３ｂが設けられている。除去予定部３ｂは、座金４を壁２へ取り付ける際に、座金４と壁２とが形成する間隙内から延出した状態にあることで、作業者の手掛かりとなり得る。【選択図】図１
2017122509.tif 000002
【特許請求の範囲】
【請求項１】
流路を設置するための流路部材を取付対象へ取り付ける際に用いられ、中央部に前記流路の通過を許容する貫通孔を有し、当該貫通孔の周囲に座部を有し、当該座部が前記流路部材と前記取付対象との間に介在される流路用環状体において、
前記座部の外周部には当該座部から除去可能に除去予定部が設けられ、当該除去予定部は、前記流路部材を前記取付対象へ取り付ける際に、前記流路部材と前記取付対象とが形成する間隙内から延出した状態にあることで、作業者の手掛かりとなり得るものであり、
前記除去予定部は、当該除去予定部に臨む前記流路部材のエッジを切断手段として利用して前記座部から除去されることを特徴とする流路用環状体。
【発明の詳細な説明】
【技術分野】
【０００１】
本発明は、例えば水栓継手を壁に設置する際に使用されるパッキン等の流路用環状体に関する。
【背景技術】
【０００２】
特許文献１の水栓継手構造は、パッキンを介して防水リングを壁に重ね、パッキン及び防水リングの中心部に形成された透孔を介して、水栓継手を壁から取り出すものである。
【先行技術文献】
【特許文献】
【０００３】
【特許文献１】特開平８−１７０７６０号公報
【発明の概要】
【発明が解決しようとする課題】
【０００４】
ところが、前記パッキンは、水栓継手の設置作業の際に、防水リングと壁との間に介在された状態となると、両者間に形成された間隙内に入り込んでしまうため、周方向或いは径方向の位置を調整することが困難という問題があった。
そこで本発明の目的とするところは、流路部材を取付対象へ取り付ける際に、流路部材と取付対象との間に介在された状態にあっても、位置調整が容易な流路用環状体を提供することにある。
【課題を解決するための手段】
【０００５】
上記の目的を達成するために、請求項１の発明は、流路を設置するための流路部材を取付対象へ取り付ける際に用いられ、中央部に前記流路の通過を許容する貫通孔を有し、当該貫通孔の周囲に座部を有し、当該座部が前記流路部材と前記取付対象との間に介在される流路用環状体において、前記座部の外周部には当該座部から除去可能に除去予定部が設けられ、当該除去予定部は、前記流路部材を前記取付対象へ取り付ける際に、前記流路部材と前記取付対象とが形成する間隙内から延出した状態にあることで、作業者の手掛かりとなり得るものであり、前記除去予定部は、当該除去予定部に臨む前記流路部材のエッジを切断手段として利用して前記座部から除去されることを特徴とするものである。
【発明の効果】
【０００６】
本発明によれば、簡易な構成で流路用環状体を取り付ける際の利便性を向上させることができるという効果を奏する。
【図面の簡単な説明】
【０００７】
【図１】水栓継手構造を示す分解斜視図。
【図２】（ａ）〜（ｃ）はパッキンの位置調整作業を説明する図。
【図３】（ａ）〜（ｃ）は別例を示す図。
【図４】（ａ）〜（ｃ）は別例を示す図。
【発明を実施するための形態】
【０００８】
以下、本発明を具体化した一実施形態を図１及び図２に従って詳細に説明する。
図１に示すように、流路としての水栓継手１は、右端部に例えば屋外からの給水パイプが装着され、左端部に例えば屋内の蛇口が装着され、給水パイプからの水を内部に通して蛇口へと送る。水栓継手１は、左端部の外周面にネジ部１ａが形成され、当該ネジ部１ａよりも右端部側にフランジ部１ｂが形成されている。取付対象としての壁２には、水栓継手１の左端部が通る程度の大きさの貫通孔２ａが形成されている。
【０００９】
前記水栓継手１は、フランジ部１ｂが壁２の裏面に当接された状態で、左端部が壁２の貫通孔２ａを介して表面に突出される。この水栓継手１の突出部分は、流路用環状体としての円盤状をなすパッキン３、及び流路部材としての円盤状をなす座金４に対して、それぞれの中央部に形成された貫通孔３ｅ及び貫通孔４ｃへ同順に挿し通される。そして、ネジ部１ａにナット６がねじ込まれることで、ナット６とフランジ部１ｂとの間で、壁２、パッキン３及び座金４が互いに締め付けられる。
【００１０】
前記パッキン３及び座金４のそれぞれには、周方向に等間隔で３つのネジ孔３ａ（取付孔）及びネジ孔４ａが形成されている。取付部材としてのネジ５は、座金４のネジ孔４ａからパッキン３のネジ孔３ａに挿通され、壁２にねじ込まれてパッキン３及び座金４を壁２に固定する。
【００１１】
前記パッキン３の材質は、合成ゴム又は合成樹脂等である。パッキン３は、壁２と座金４との間に介在される部分でありかつネジ孔３ａが形成された座部３ｄと、当該座部３ｄにおいて外周縁の一部に形成された弦状部３ｃと、当該弦状部３ｃに連結された除去予定部３ｂとを有している。座部３ｄの外周縁において、弦状部３ｃ以外の部分である円弧部３ｆの外径は、座金４の外径より若干小さい。除去予定部３ｂは、円盤状をなす操作部３ｂ−１と、当該操作部３ｂ−１を座部３ｄの弦状部３ｃに連結する、横断面積の狭い脆弱部３ｂ−２を有している。弦状部３ｃは、ネジ孔３ａに対して周方向にずれた位置、特に隣接する二つのネジ孔３ａ間の中間位置に形成されている。つまり、除去予定部３ｂは、ネジ孔３ａに対して周方向にずれた位置で、座部３ｄに連結されている。
【００１２】
図２（ａ）及び図２（ｂ）は、前記水栓継手１を壁２に設置する作業の途中を示し、詳しくは、ネジ５（図１参照）がパッキン３のネジ孔３ａ及び座金４のネジ孔４ａに挿通される前でかつ、ナット６（図１参照）とフランジ部１ｂ（図１参照）との間で、壁２、パッキン３及び座金４が非常に軽く締め付けられた状態を示す。この状態でパッキン３は、座部３ｄの弦状部３ｃ及び円弧部３ｆが、壁２と座金４とが形成する間隙内に入り込んだ状態となるとともに、除去予定部３ｄの操作部３ｂ−１が当該間隙内から外方へ延出した状態となる。したがって、作業者は、操作部３ｂ−１を手掛かりとすることで、パッキン３を周方向や径方向へ容易に位置調整でき、よって当該パッキン３のネジ孔３ａを座金４のネジ孔４ａに対して容易に位置合わせできる。
【００１３】
図２（ｃ）に示すように、前記パッキン３の位置調整が完了すれば、ネジ５をパッキン３のネジ孔３ａ及び座金４のネジ孔４ａに挿通しかつ壁２にねじ込み、ナット６（図１参照）を所定まで強く締め付けた後、操作部３ｂ−１を強く引っ張ることで脆弱部３ｂ−２を破断させ、除去予定部３ｂを座部３ｄから除去する。除去予定部３ｂは、ネジ孔３ａに対して周方向にずれているため、操作部３ｂ−１を強く引っ張ることに起因したストレスが、ネジ孔３ａに作用することを抑制でき、例えばネジ孔３ａの破断を防止できる。
【００１４】
このようにして、前記除去予定部３ｂが除去されたパッキン３は、座部３ｄの弦状部３ｃ及び円弧部３ｆが、座金４と壁２とが形成する間隙内からはみ出さないため、施工箇所は美観に優れることとなる。特に、弦状部３ｃは、座金４と壁２とが形成する隙間内に円弧部３ｆよりも深く入り込むことになるため、当該弦状部３ｃに発現する脆弱部３ｂ−２の破断部分が効果的に隠されて、施工箇所の美観向上により貢献される。
【００１５】
なお、上記実施形態を、次のように変更して具体化することも可能である。
・図３（ａ）〜図３（ｃ）に示すように、弦状部３ｃを削除するとともに、除去予定部３ｂを円弧部３ｆに連結すること。
・図４（ａ）〜図４（ｃ）に示すように、図３（ａ）〜図３（ｃ）の別例を変更し、座部３ｄの外周縁の一部を切り欠いて、この切欠き内で座部３ｄに除去予定部３ｂを連結してもよい。このようにすれば、除去予定部３ｂを、円弧部３ｆよりも内周側で座部３ｄに連結することができ、除去予定部３ｂを弦状部３ｃに連結することと同等の美観向上効果を得ることができる。
・除去予定部３ｂを、ネジ孔３ａに対して周方向へずらすことなく座部３ｄに連結すること。このようにすれば、操作部３ｂ−１とネジ孔３ａとが近くなるため、作業者は操作部３ｂ−１とネジ孔３ａとを同時に見易くなり、座金４のネジ孔４ａとの位置合わせをさらに容易に行い得る。
【００１６】
・操作部３ｂ−１を、座部３ｄの周方向に複数設けること。
・操作部３ｂ−１の外形を、楕円形状や半円形状とすること。
・操作部３ｂ−１の外形を、三角形状や四角形状等の多角形状とすること。
・パッキン３の外径（円弧部３ｆの外径）は、座金４の外径と同じかもしくはそれ以上であってもよい。
・座金４の外周縁（エッジ）を切断手段として利用して、当該切断手段によって除去予定部３ｂを切除するようにすること。この場合、脆弱部３ｂ−２は有ってもよいし無くてもよい。また、座金４に、除去予定部３ｂを切除するための専用の切断手段を設けてもよい。
【００１７】
・脆弱部３ｂ−２において座部３ｄとの境界部分でかつ周方向の中間位置に、円形孔又は周方向へ延在する長孔を貫通形成し、当該円形孔又は長孔のサイズ及び／又は形状を調整することで、当該脆弱部３ｂ−２に付与する脆弱性の高低を調整すること。
・脆弱部３ｂ−２は、周方向に形成されたミシン目や、周方向及び／又は表裏面の切り込みによって、脆弱性が付与されていてもよい。
・座部３ｄの全周に渡って円環状に除去予定部３ｂを形成してもよい。
・パッキン以外の例えばＯリングやガスケット等の他の流路用環状体に具体化すること。また、シール機能以外の機能が期待される、例えばワッシャ等の他の流路用環状体に具体化すること。
・水栓継手１のフランジ部１ｂと壁２との間に、同様なパッキン３を介在させること。この場合、水栓継手１が流路でかつ流路部材となる。
・取付対象は壁２に限定されるもではなく、例えば床や天井等であってもよい。
【符号の説明】
【００１８】
１…流路としての水栓継手、２…取付対象としての壁、３…流路用環状体としてのパッキン、３ａ…取付孔としてのネジ孔、３ｂ…除去予定部、３ｂ−１…操作部、３ｂ−２…脆弱部、３ｄ…座部、３ｅ…貫通孔、４…流路部材としての座金、５…取付部材としてのネジ。
【図１】
2017122509.tif 000003
【図２】
2017122509.tif 000004
【図３】
2017122509.tif 000005
【図４】
2017122509.tif 000006